(57)【要約】【課題】入室・退室者の正確な管理ができる入退室管理システムを提供することを目的とする。【解決手段】識別信号を一定周期で繰り返し発信するアクティブ型のＲＦＩＤタグ１０と、このＲＦＩＤタグ１０からの前記識別信号を受信するタグデータ受信機２０と、このタグデータ受信機２０から前記識別信号と共に受信データを取得し、入退室データを作成するデータ受信端末３０と、このデータ受信端末３０が作成した前記入退室データを取得し、記憶項目として管理する入退室情報管理データベース４１と、を備える入退室管理システムであって、前記タグデータ受信機２０が入室検知用および退室検知用の２種類の受信機から構成され、これらの受信データに基づいて入退室状態を把握する。【選択図】図１
2008070957.tif 000002
【特許請求の範囲】
【請求項１】
所持者の個人識別情報を含むタグデータを無線信号により一定周期で繰り返し発信するアクティブ型のＲＦＩＤタグと、
管理対象室の出入口に通じる通路内に配置され、前記無線信号から前記タグデータを取得し、これに第１の受信機識別情報を付加した受信データを出力する第１の検知用受信機と、
前記通路内で前記第１の検知用受信機より所定の距離をおいて配置され、これに第２の受信機識別情報を付加した受信データを出力する第２の検知用受信機と、
前記第１および第２の検知用受信機に接続されたデータ受信端末と、
このデータ受信端末に接続され、前記ＲＦＩＤタグの入退室状態を記憶する入退室状態記憶手段とを備え、
前記データ受信端末は、更に、
前記受信データから前記個人識別情報および前記受信機識別情報を検出する検出手段と、
前記検出された個人識別情報に対し、１つ前に検出された同一の個人識別情報とともに検出された受信機識別情報が同一のとき、前記受信データの個数を計数する計数手段と、
この計数手段が所定の個数を計数したとき前記ＲＦＩＤ所持者の入退室検知情報と前記入退室状態記憶手段に記憶されている入退室状態情報を比較する比較手段と、
この比較結果に応じて前記入退室状態記憶手段の記憶内容を更新する更新手段とを備えることを特徴とするＲＦＩＤを利用した入退室管理システム。
【請求項２】
前記更新手段は、前記比較手段での比較結果が同一の場合には前記入退室状態記憶手段の記憶内容を更新せず、前記比較結果が異なる場合には前記入退室状態記憶手段の記憶内容を更新することを特徴とする請求項１に記載のＲＦＩＤを利用した入退室管理システム。
【請求項３】
前記ＲＦＩＤ所持者の入退室検知情報は、前記所定回数の受信データを受信した受信機識別情報により決定することを特徴とする請求項２に記載のＲＦＩＤを利用した入退室管理システム。
【請求項４】
前記入退室状態記憶手段は、前記ＲＦＩＤ所持者の入退室状態情報を複数の管理対象室毎に記憶していることを特徴とする請求項１乃至３のいずれかに記載のＲＦＩＤを利用した入退室管理システム。
【請求項５】
前記データ受信端末に接続され、複数の前記ＲＦＩＤ所持者それぞれの個人識別情報、入退室状態情報およびその他の属性情報を記憶するデータベースを有する入退室情報管理サーバを更に備えることを特徴とする請求項１乃至４のいずれかに記載のＲＦＩＤを利用した入退室管理システム。
【発明の詳細な説明】
【技術分野】
【０００１】
本発明は、管理対象室への入室者および管理対象室からの退室者を把握する入退室管理システムに係り、特にＲＦＩＤを利用した入退室管理システムに関する。
【背景技術】
【０００２】
微小な無線チップにより非接触でＩＤコードを識別するＲＦＩＤ（Ｒａｄｉｏ  Ｆｒｅｑｕｅｎｃｙ  Ｉｄｅｎｔｉｆｉｃａｔｉｏｎ）システムはＩＤコードを送信するＲＦＩＤタグとＩＤコードを受信するＲＦＩＤリーダから構成されている。このＲＦＩＤを利用し、例えばクリーンルームへの入退室管理する装置が知られている。この装置においては、クリーンルームの出入口に設置された二つの遮光センサーとＲＦＩＤ装置の両方から得た情報から入室・退室を判定している（特許文献１参照）。
【特許文献１】特開２００４−１５０６４５号公報
【発明の開示】
【発明が解決しようとする課題】
【０００３】
しかしながら、従来技術においては、多数の者が同時に入退室を繰り返した場合や入退室者が入口で立ち止まったり、引き返したりした場合には入退室状態を誤って判定してしまうという問題があった。
【０００４】
そこで、本発明は複数の管理エリアにおける入退室者の正確な把握および管理が可能な入退室管理システムを提供することを目的とする。
【課題を解決するための手段】
【０００５】
本願発明に係るＲＦＩＤを利用した入退室管理システムは、所持者の個人識別情報を含むタグデータを無線信号により一定周期で繰り返し発信するアクティブ型のＲＦＩＤタグと、管理対象室の出入口に通じる通路内に配置され、前記無線信号から前記タグデータを取得し、これに第１の受信機識別情報を付加した受信データを出力する第１の検知用受信機と、前記通路内で前記第１の検知用受信機より所定の距離をおいて配置され、これに第２の受信機識別情報を付加した受信データを出力する第２の検知用受信機と、前記第１および第２の検知用受信機に接続されたデータ受信端末と、このデータ受信端末に接続され、前記ＲＦＩＤタグの入退室状態を記憶する入退室状態記憶手段とを備え、前記データ受信端末は、更に、前記受信データから前記個人識別情報および前記受信機識別情報を検出する検出手段と、前記検出された個人識別情報に対し、１つ前に検出された同一の個人識別情報とともに検出された受信機識別情報が同一のとき、前記受信データの個数を計数する計数手段と、この計数手段が所定の個数を計数したとき前記ＲＦＩＤ所持者の入退室検知情報と前記入退室状態記憶手段に記憶されている入退室状態情報を比較する比較手段と、この比較結果に応じて前記入退室状態記憶手段の記憶内容を更新する更新手段とを備えることを特徴とする。
【発明の効果】
【０００６】
本発明によれば、管理対象室への入退室の正確な検出と、それに基づく入退室状態の正確な把握が可能な入退室管理システムが得られる。
【発明を実施するための最良の形態】
【０００７】
以下、本発明を実施するための最良の形態について図面を用いて説明する。
【０００８】
図１は、本発明の一実施形態に係る入退室管理システムの全体構成を示す図である。この入退室管理システムは、ＲＦＩＤタグ１０、このＲＦＩＤタグ１０から送信される無線信号を受信するタグデータ受信機２０、このタグデータ受信機２０に共通バスライン２５を介して接続されたデータ受信端末３０、入退室情報管理サーバ４０、および入退室情報管理クライアント端末５０から構成されている。
【０００９】
ＲＦＩＤタグ１０は、複数の入退室管理対象者毎に１個ずつ所持され、タグ毎にＲＦＩＤタグ所持者の個人識別情報（以下タグIDという。）が割り当てられている。これらのＲＦＩＤタグ１０は、一定周期、例えば０．５秒周期でこのタグIDを含むタグデータを無線信号により発信するアクティブ型の無線タグである。
【００１０】
タグデータ受信機２０は入室検知受信機（第１の検知用受信機）２１および退室検知受信機（第２の検知用受信機）２２の２種類の受信機を一対の受信機として備えている。これらの一対の受信機はそれぞれＲＦＩＤタグ１０からの無線信号を受信する。タグデータ受信機２０を構成する一対の入室検知受信機２１および退室検知受信機２２は、管理対象室の出入口に通じる通路内に併設される。ここで、入室検知受信機２１は管理対象室の出入口の近くに設置され、退室検知受信機２２は入室検知受信機２１から所定の距離を置いて設置される。この所定の距離とは、同一のＲＦＩＤタグ１０からの無線信号を同時に２つの受信機で受信するのを極力防止しうる距離を意味する。したがって、この距離はＲＦＩＤタグ１０からの無線信号の強度に応じて設定する。
【００１１】
タグデータ受信機２０を構成する一対の入室検知受信機２１および退室検知受信機２２は、それぞれ受信機識別情報（以下受信機ＩＤという。）を有しており、それぞれが受信した受信データに入室検知受信機２１であるか退室検知受信機２２であるかを識別する受信機ＩＤを付加し、共通バスライン２５を介してデータ受信端末３０に送る。例えば、ここで入室検知受信機２１であることを示す受信機ＩＤ（第１の受信機識別情報）としては「入室」あるいは「ＩＮ」を、また、退室検知受信機２２であることを示す受信機ＩＤ（第２の受信機識別情報）としては「退室」あるいは「ＯＵＴ」を用いるものとする。
【００１２】
なお、タグデータ受信機２０を構成する一対の入室検知受信機２１および退室検知受信機２２は、管理対象室に複数個の出入り口がある場合、あるいは管理対象室が複数個存在する場合には、各管理室の出入口毎に設置される。この場合、受信機ＩＤは「入室」「退室」を示すＩＤに各管理対象室あるいはそれらの出入口を識別するための識別符号、例えばＡ、Ｂ、Ｃ、…等を付加したＩＤを用いる。
【００１３】
データ受信端末３０は、後述するように、入室検知受信機２１および退室検知受信機２２から受信した受信データを解析してＲＦＩＤタグ１０の所持者（以下、「タグ所持者」という。）の管理対象室に対する入退室状態を示す入退室データを作成し、これを入退室情報管理サーバ４０へ送信する。データ受信端末３０はまた、タグ所持者名、入室時刻あるいは退室時刻、および入退室履歴情報等を含む入退室データを作成し、これを入退室情報管理サーバ４０へ送信する。なお、データ受信端末３０は各管理対象室あるいはそれらの出入口毎に１台ずつ設置しても良いし、１台でいくつかの管理対象室あるいはそれらの出入口に設置された複数台のタグデータ受信機２０からのデータを並列処理しても良い。
【００１４】
入退室情報管理サーバ４０は、データ受信端末３０から受信した入退室データを内部に備える入退室情報管理データベース４１に蓄積すると共に、そのバックアップ手段を備えている。また、入退室情報管理サーバ４０にはＷｅｂサーバを構築し、入退室情報管理クライアント端末５０からデータベースに蓄積された入退室データを参照する手段を提供する。
【００１５】
入退室情報管理クライアント端末５０は、入退室情報管理サーバ４０に蓄積された入退室データを参照し、あるいは権限によりこれを修正するためのパーソナルコンピュータ等により構成される端末装置である。入退室情報管理クライアント端末５０は、例えば表１に示すような情報の参照および修正等の機能を備えている。
【表１】
2008070957.tif 000003
【００１６】
図２は、データ受信端末３０内部におけるデータの流れおよび処理を説明する機能ブロック図である。受信部３１がタグデータ受信機２０から受信データを受信し、これをＩＤ検出部３２に供給する。ＩＤ検出部３２では、受信データ中からタグＩＤおよび受信機ＩＤが検出される。検出されたタグＩＤおよび受信機ＩＤは、タグＩＤ毎にＩＤ記憶部３３に記憶された受信機ＩＤと比較部３４で比較される。ＩＤ記憶部３３には、１個前の受信データに含まれる受信機ＩＤが記憶されている。
【００１７】
比較部３４での比較の結果、両者が一致した場合には、カウンタ部３５は、受信部３１に受信された受信データをカウントする。そして、そのカウント値が所定の閾値、例えば５に達したとき、カウンタ出力を発生し、これを入退室状態（ステータス）判定部３６に供給する。入退室ステータス判定部３６では、入退室状態（ステータス）記憶部３７に記憶された対応する同じタグＩＤを有するＲＦＩＤタグの現在の入退室ステータスデータを受信データが受信された受信機ＩＤが表す「入室（ＩＮ）」あるいは「退室（ＯＵＴ）」状態と比較する。この結果、両者が異なる場合には、入室あるいは退室の状態になったものと判定する。この結果、入退室ステータスデータ作成部３８は、受信機ＩＤが表す入退室ステータスを新たな入退室ステータスデータとして作成し、これを入退室情報管理サーバ４０に送ると共に、入退室ステータス記憶部３７の記憶内容を更新する。入退室ステータス判定部３６での比較の結果両者が同じ場合には、入退室ステータスデータ作成部３８は新たなデータを作成することはなく、入退室ステータス記憶部３７の記憶内容も更新されない。
【００１８】
図３は、入退室ステータス判定部３６による判定方法を説明するための、受信機ＩＤと入退室ステータス記憶部３７の記憶内容との対応関係を示す表である。すなわち、同一のＲＦＩＤタグ１０からの受信データを同一の受信機“ＩＮ”により５回連続して受信した場合には、入退室ステータス記憶部３７の記憶内容が「入室」である場合には「入室」と判定し、入退室ステータス記憶部３７の記憶内容が「退室」である場合には「入室」と判定する。また、同一のＲＦＩＤタグ１０からの受信データを同一の受信機“ＯＵＴ”により５回連続して受信した場合には、入退室ステータス記憶部３７の記憶内容が「入室」である場合には「退室」と判定し、入退室ステータス記憶部３７の記憶内容が「退室」である場合には「退室」と判定する。
【００１９】
次に、上述したような構成を有する本発明の一実施形態に係る入退室管理システムの動作について図４乃至１１を用いて説明する。図４は、上記入退室管理システムにおいて、ＲＦＩＤタグ１０からタグデータを受信した場合の入退室管理のための情報処理の流れを示すフローチャートである。また、図５乃至１２は、タグ所持者１０´が管理対象室１１に通ずる通路１２に設置された退室検知受信機２２、入室検知受信機２１の設置場所を順次に通過し、管理対象室１１に入るまでの各状況をデータ受信端末３０内の情報の変化とともに説明する図である。
【００２０】
図５は、タグ所持者１０´が管理対象室１１に通ずる通路１２内を管理対象室１１に向かって移動し、退室検知受信機２２に接近した状況を示す。タグ所持者１０´が退室検知受信機２２の受信範囲に入ると、図４に示す情報処理が開始され、所持しているＲＦＩＤタグのタグデータが受信される（ステップ４ａ）。このタグデータは、退室検知受信機２２の受信機ＩＤ“ＯＵＴ”とともに受信データとしてデータ受信端末３０へ送信される。そして、データ受信端末３０ではタグデータを受信した退室検知受信機２２が前回そのタグデータを受信した受信機と同一か否かが判定される（ステップ４ｂ）。図５の状況においては退室検知受信機２２が初めてタグ所持者１０´のタグデータを受信するものと仮定すると、ここでは異なる受信機と判定される。そして、退室検知受信機２２の受信機ＩＤ“ＯＵＴ”がデータ受信端末３０内のＩＤ記憶部３３に記憶される（ステップ４g）。そして、入退室カウンタ３５が１に初期化される（ステップ４h）。
【００２１】
図５の状況においては、データ受信端末３０内の情報、すなわち、ＩＤ記憶部３３に含まれる退室検知受信機２２のＩＤ、入退室カウンタ３５のカウント値および入退室状態（ステータス）記憶部３７の内容である入退室ステータスは、図示のように、それぞれ、“ＯＵＴ”、１、「退室」となっている。
【００２２】
図６は、タグ所持者１０´が退室検知受信機２２の設置場所を通過中の状況を示す。退室検知受信機２２にはタグ所持者１０´のＲＦＩＤタグが送出する２個目のタグデータが受信され、図４の情報処理ステップが繰り返される(ステップ４ａ)。この２個目のタグデータは、受信機ＩＤ“ＯＵＴ”とともに受信データとしてデータ受信端末３０へ送信される。そして、データ受信端末３０では退室検知受信機２２により受信したタグデータが前回受信した受信機と同一の受信機により受信されたものか否かが判定される（ステップ４ｂ）。同一であれば入退室カウンタの内容を１だけカウントアップして２とする（ステップ４ｆ）。
【００２３】
図６の状況においては、データ受信端末３０内の情報、すなわち、ＩＤ記憶部３３に含まれる退室検知受信機２２のＩＤ、入退室カウンタ３５のカウント値および入退室ステータス記憶部３７の入退室ステータスは、図示のように、それぞれ、“ＯＵＴ”、２、「退室」となっている。
【００２４】
次に、図７に示すように、タグ所持者１０´が退室検知受信機２２の設置場所をさらに管理対象室の入口に向かって通過中、同様な処理を繰り返す。この結果、同一の退室検知受信機２２が同一のＲＦＩＤタグ１０から５個目の受信データを受信すると、入退室カウンタが閾値に達する。この状態は、図２のフローチャートに示すように、データ受信端末３０で判定される（ステップ４ｃ）。
【００２５】
入退室カウンタが閾値に達すると、処理はステップ４ｄに進む。ステップ４ｄにおいては、退室検知受信機２２のＩＤと入退室ステータス記憶部３７の内容とが入退室ステータス判定部３６により比較される。ここでは、受信機ＩＤが“ＯＵＴ”であり、入退室ステータス記憶部３７の入退室ステータスも「退室」であるので、入退室ステータス判定部３６はタグ所持者１０´は依然として「退室」であると判定する。したがって、入退室ステータス記憶部３７の入退室ステータスの更新処理は行われない。
【００２６】
図８は、タグ所持者１０´が入室検知受信機２１に接近した場合を示す。このように、タグ所持者１０´が入室検知受信機２１の受信範囲に入ると、図４の処理が再度開始され、タグデータが受信される(ステップ４ａ)。このタグデータは、受信機ＩＤ（“ＩＮ”）と一緒に受信データとしてデータ受信端末３０へ送信される。そして、タグデータを受信した受信機が前回受信した受信機と同一か否かが判定される（ステップ４ｂ）。ここでは、受信機ＩＤが“ＯＵＴ”から“ＩＮ”に変わっているので、異なる受信機と判定される。そして、新しい受信機ＩＤ（“ＩＮ”）がデータ受信端末３０内のＩＤ記憶部に記憶される（ステップ４g）。そして、入退室カウンタが１に初期化される（ステップ４ｈ）。
【００２７】
図８の状況においては、データ受信端末３０内の情報、すなわち、ＩＤ記憶部３３に含まれる入室検知受信機２１のＩＤ、入退室カウンタ３５のカウント値および入退室ステータス記憶部３７の内容である入退室ステータスは、図示のように、それぞれ、“ＩＮ”、１、「退室」となる。
【００２８】
図９は、タグ所持者１０´が入室検知受信機２１を通過中の状況を示す。図９のように、タグ所持者１０´が入室検知受信機２１の受信範囲を進み、２個目の受信データが受信される(ステップ４ａ)。そして、受信データを受信した入室検知受信機２１が前回の受信データを受信した受信機と同一かどうか判定（ステップ４ｂ）し、同一の場合、入退室カウンタが閾値に達しているか否かが判定される（ステップ４ｃ）。カウント値が閾値５未満と判定されると、ステップ４ｆへ進み、入退室カウンタが加算（＋１）される。以下、タグ所持者１０´が入室検知受信機２１の受信範囲内をさらに管理対象室の入口に向かって移動する間、タグデータが順次受信され、入退室カウンタのカウント値が加算される。
【００２９】
図１０は、タグ所持者１０´が入室検知受信機２１の設置場所を通過中に入退室カウンタが閾値に達した場合を示す。入退室カウンタが閾値に達すると、処理はステップ４ｄに進む。ステップ４ｄにおいては、入室検知受信機２１のＩＤと入退室ステータス記憶部３７の内容とが入退室ステータス判定部３６により比較される。ここでは、受信機ＩＤは“ＩＮ”であり、入退室ステータス記憶部３７の内容である入退室ステータスは「退室」であるので、入退室ステータス判定部３６はタグ所持者１０´のＲＦＩＤタグは「入室」であると判定する。したがって、入退室ステータス記憶部の入退室ステータスを更新処理し、処理が終了する。
【００３０】
図１１はタグ所持者１０´が入室検知受信機２１と退室検知受信機２２の設置位置のほぼ中間地点を通過する状況を示す図である。両受信機の設置位置が十分に離れている場合にはタグ所持者１０´のＲＦＩＤタグからの信号は受信されない。しかしながら、両受信機の設置位置が十分に離れておらず受信範囲が重なる場合には、同時に２つの受信機で同じ信号を受信する可能性がある。しかし、どちらかの受信機の受信範囲から離れるにしたがって、一方の受信機では受信できず、他方の受信機では受信可能になる。本発明では、一時的に２つの受信機で同じ信号を受信する状況が生じても、入退室カウンタが所定の閾値となるまで入退室ステータスを更新しないため、入退室ステータスを誤って更新することはない。
【００３１】
図１２は図５乃至図１０までの各状況下でのタグ所持者１０´の移動に伴う受信データの受信状態とそれに基づく入退室ステータスデータの関係を示す図である。図において、退室検知受信機２２および入室検知受信機２１により受信される受信信号はそれぞれ５本の矢印１〜５で示されている。また、入退室ステータスは、「退室」または「入室」である。また、入退室ステータスデータは、入室検知受信機２１が４個の受信信号を受信しても「退室」を表示したままであり、入室検知受信機２１が５個の受信信号を受信して初めて「入室」表示に変化することを示している。
【００３２】
以上の説明はタグ所持者が管理対象室に入室する場合についてのものであったが、タグ所持者が管理対象室から退室する場合もほぼ同様な情報処理が行われる。図１３はタグ所持者１０´が管理対象室１１から退室する場合における受信データの受信状態とそれに基づく入退室ステータスデータの関係を示す図である。図において、タグ所持者１０´が管理対象室１１から退室し、入室検知受信機２１の受信範囲を通過中は、入室検知受信機２１が受信信号を受信するが、タグ所持者１０´の現在の入退室ステータスは「入室」であるため更新されない。そして、タグ所持者１０´が退室検知受信機２２の受信範囲を通過して閾値を超える受信信号を受信すると、タグ所持者１０´の現在の入退室ステータスとは異なると判定され、入退室ステータスデータが「退室」に更新される。
【００３３】
このように、入室検知受信機２１および退室検知受信機２２との二段階の交信によってタグ所持者の移動する方向を把握し、受信機の種類と入退室カウントによって入退室状態を確定することができる。また、入退室情報管理データベース４１に情報を蓄積することで、管理対象室における入室・退室者の正確なＩＤ、人数、および入退室履歴等を管理することができる。
【００３４】
図１４は管理対象室Ａに通ずる通路１２の途中に、他の管理対象室Ｂに通ずる分岐路１３が存在し、タグ所持者１０´が管理対象室１１Ａを退室した後、この分岐路１３を通って他の管理対象室１１Ｂに入室する場合における受信データの受信状態とそれに基づく入退室ステータスデータの関係を示す図である。
【００３５】
ここでは、管理対象室１１Ａの出入口近傍に設置された入室検知受信機２１Ａの受信機ＩＤを“Ａ−ＩＮ”とし、管理対象室１１Ｂの出入口近傍に設置された入室検知受信機２１Ｂの受信機ＩＤを“Ｂ−ＩＮ”とする。また、退室検知受信機２２については２つの管理対象室１１Ａ、１１Ｂに対して共通の受信機が用いられるものとする。
【００３６】
タグ所持者１０´が管理対象室１１Ａを退室した後、入室検知受信機２１Ａの受信範囲を通過する際、入室検知受信機２１Ａはタグ所持者１０´からの受信信号を受信する。この結果、タグ所持者１０´の現在の入退室ステータスデータ「Ａ入室」と入室検知受信機２１Ａの受信機ＩＤ“Ａ−ＩＮ”とを比較して、新たなステータスは現在と同じく「Ａ入室」と判定する。
【００３７】
次いで、タグ所持者１０´が管理対象室１１Ｂの出入口近傍に設置された入室検知受信機２１Ｂの受信範囲を通過すると、入室検知受信機２１Ｂはタグ所持者１０´からの受信信号を受信する。この結果、タグ所持者１０´の現在の入退室ステータスデータ「Ａ入室」と入室検知受信機２１Ｂの受信機ＩＤ“Ｂ−ＩＮ”とを比較し、両者が異なるため、新たなステータスは現在と異なり「Ｂ入室」と判定する。
【００３８】
同様に、管理対象室Ｂより出て、退室検知用受信機２２の受信範囲を通過すれば、管理対象範囲より退出したことが検知され、タグ所持者１０´の入退室ステータスが更新される。
【００３９】
本発明による入退室の管理では、入室用と退室用の検知受信機の二段階の交信によって判定するので、タグ保持者１０´が管理対象室を入室または退室するまでに２つの受信機でステータスを更新できればよい。すなわち、一通路内で２つ以上の管理対象室がある場合、入室検知用受信機は管理対象室毎に設置し、退室検知用受信機は通路出口付近に一つ設置すればよい。また、管理対象室の一つの出入口から２つ以上の通路（退出路）がある場合は、管理対象室の一つの出入口に入室検知用受信機を一つ設置し、通路の出口側に退室検知用受信機をそれぞれ設置すればよい。これにより、タグ所持者の入退室状態を正確に管理することができる。
【００４０】
図１５乃至図１７は図１に示した入退室情報管理クライアント端末５０により参照される情報の具体例を示す各種表示画面例を示す図である。入退室情報管理データベース４１に保存されているデータを用い、画面表示を行う。図１５はＣＲ在室人数表示であり、ここでは管理対象室としてクリーンルーム（ＣＲ）を想定している。図１６はＣＲ在室者表示であり、在室者の具体的情報が表示され、在室上限時間を超過した在室者欄は例えば赤色の背景で表示され、注意が喚起される。図１７はＣＲ入退室詳細検索結果を示す一覧表であり、ＣＲ番号、従業員（利用者）コード、氏名、入退室状態、タグデータ受信時刻、等が一覧表示されている。
【００４１】
以上本発明の最良の実施形態について詳細に説明したが、本発明は上記実施形態に限定されるものではなく、本発明の技術的思想の範囲内で種々変形して実施可能である。例えば、上記実施形態では一対のタグデータ受信機２０に対してデータ受信端末３０は一台設置されているが、複数対のタグデータ受信機２０に対応する構成としても良い。この場合、入退室ステータスを部屋毎に設定することで複数の管理対象室における入退室状態を詳細に把握できる。また、複数のデータ受信端末３０に一台の入退室情報管理サーバ４０が管理する構成としても良い。設置コスト等を考慮して選択可能である。更に、データ受信端末３０、入退室情報管理サーバ４０、入退室情報管理クライアント端末５０の機能を単一のハードウェアが備える構成としても良い。この場合、システムの設置や移動が容易となる利点がある。
【図面の簡単な説明】
【００４２】
【図１】本発明の実施形態に係る全体構成例を示すブロック図。
【図２】本発明の実施形態に係るデータ受信端末３０内部のデータの流れおよび処理を説明する機能ブロック図。
【図３】本発明の実施形態に係る受信機により入退室ステータスを判定するための対応関係を説明する表。
【図４】本発明の実施形態に係る入退室判定処理の具体例を示すフローチャート。
【図５】本発明の実施形態における入室の状況を説明する図。
【図６】本発明の実施形態における入室の状況を説明する図。
【図７】本発明の実施形態における入室の状況を説明する図。
【図８】本発明の実施形態における入室の状況を説明する図。
【図９】本発明の実施形態における入室の状況を説明する図。
【図１０】本発明の実施形態における入室の状況を説明する図。
【図１１】本発明の実施形態における入室の状況を説明する図。
【図１２】本発明の実施形態における入室の状況を全体的に説明する図。
【図１３】本発明の実施形態における退室の状況を全体的に説明する図。
【図１４】本発明の実施形態における入退室の状況を説明する図。
【図１５】図１に示した入退室情報管理クライアント端末５０により参照される情報の具体例を示す表示画面。
【図１６】図１に示した入退室情報管理クライアント端末５０により参照される情報の具体例を示す表示画面。
【図１７】図１に示した入退室情報管理クライアント端末５０により参照される情報の具体例を示す表示画面。
【符号の説明】
【００４３】
１０…ＲＦＩＤタグ、２０…タグデータ受信機、
２１…入室検知受信機、２２…退室検知受信機、
２５…共通バスライン、３０…データ受信端末、
４０…入退室情報管理サーバ、４１…入退室情報管理データベース、
５０…入退室情報管理クライアント端末。
【図１】
2008070957.tif 000004
【図２】
2008070957.tif 000005
【図３】
2008070957.tif 000006
【図４】
2008070957.tif 000007
【図５】
2008070957.tif 000008
【図６】
2008070957.tif 000009
【図７】
2008070957.tif 000010
【図８】
2008070957.tif 000011
【図９】
2008070957.tif 000012
【図１０】
2008070957.tif 000013
【図１１】
2008070957.tif 000014
【図１２】
2008070957.tif 000015
【図１３】
2008070957.tif 000016
【図１４】
2008070957.tif 000017
【図１５】
2008070957.tif 000018
【図１６】
2008070957.tif 000019
【図１７】
2008070957.tif 000020